【手続補正書】
【提出日】平成20年8月21日(2008.8.21)
【手続補正１】
【補正対象書類名】明細書
【補正対象項目名】特許請求の範囲
【補正方法】変更
【補正の内容】
【特許請求の範囲】      
【請求項１】
放射線が照射された被写体の画像を形成する撮像部と、当該撮像部に取り外し可能に接続され、前記撮像部の動作を制御する制御信号を伝送するためのケーブルとを有する放射線画像撮影装置であって、
前記撮像部と前記ケーブルの接続をロック及びロック解除するロック機構を有することを特徴とする放射線画像撮影装置。
【請求項２】
放射線が照射された被写体の画像を形成する撮像部と、当該撮像部に取り外し可能に接続され、前記撮像部に電源を供給するケーブルとを有する放射線画像撮影装置であって、
前記撮像部と前記ケーブルの接続をロック及びロック解除するロック機構を有することを特徴とする放射線画像撮影装置。
【請求項３】
前記ロック機構は、前記ケーブルから電源を供給され、前記電源が供給されると前記撮像部と前記ケーブルの接続をロック状態にし、前記電源の供給が停止すると前記撮像部と前記ケーブルの接続をロック解除状態にすることを特徴とする請求項１又は２記載の放射線画像撮影装置。
【請求項４】
前記制御信号を受信し、当該制御信号に基づいて前記ロック機構を制御する制御部を更に有することを特徴とする請求項１記載の放射線画像撮影装置。
【請求項５】
前記制御部は、前記撮像部の動作を開始する前記制御信号を受信すると、前記ロック機構を制御して前記撮像部と前記ケーブルの接続をロック状態にすることを特徴とする請求項４記載の放射線画像撮影装置。
【請求項６】
前記制御部は、前記撮像部と通信可能であり、当該撮像部の動作を開始する信号を受信すると、前記ロック機構を制御して前記撮像部と前記ケーブルの接続をロック状態にすることを特徴とする請求項４記載の放射線画像撮影装置。
【請求項７】
前記制御部は、前記撮像部の動作を終了する前記制御信号を受信すると、前記ロック機構を制御して前記撮像部と前記ケーブルの接続をロック解除状態にすることを特徴とする請求項４記載の放射線画像撮影装置。
【請求項８】
前記制御部は、前記撮像部と通信可能であり、当該撮像部の動作を終了する信号を受信すると、前記ロック機構を制御して前記撮像部と前記ケーブルの接続をロック解除状態にすることを特徴とする請求項４記載の放射線画像撮影装置。
【請求項９】
前記撮像部と前記ケーブルの接続のロック状態を解除するための入力部を更に有し、
前記制御部は、前記入力部から解除命令が入力されたかどうかを判断し、当該解除命令が入力されたと判断すると前記ロック機構を制御して前記撮像部と前記ケーブルの接続をロック解除状態にすることを特徴とする請求項４記載の放射線画像撮影装置。
【請求項１０】
前記撮像部と前記ケーブルの接続のロック状態を解除するための入力部を更に有し、
前記制御部は、前記撮像部の動作を開始する前記制御信号を受信すると、前記入力部から入力された解除命令を遮断するゲートを更に有することを特徴とする請求項５記載の放射線画像撮影装置。
【請求項１１】
前記撮像部と前記ケーブルの接続のロック状態を解除するための入力部を更に有し、
前記制御部は、前記撮像部の動作を開始する前記制御信号を受信すると、前記入力部から入力された解除命令を所定期間遮断するゲートを更に有することを特徴とする請求項５記載の放射線画像撮影装置。
【請求項１２】
前記撮像部と前記ケーブルの接続のロック状態を解除するための入力部を更に有し、
前記制御部は、前記撮像部から前記撮像部の動作を開始する前記信号を受信すると、前記入力部から入力された解除命令を遮断するゲートを更に有することを特徴とする請求項６記載の放射線画像撮影装置
【請求項１３】
前記ロック機構が、前記撮像部と前記ケーブルの接続をロック状態にしているか前記撮像部と前記ケーブルの接続をロック解除状態にしているかを表示する表示部を更に有することを特徴とする請求項１乃至１２記載のうちいずれか一項に記載の放射線画像撮影装置。
【手続補正２】
【補正対象書類名】明細書
【補正対象項目名】００１２
【補正方法】変更
【補正の内容】
【００１２】
【課題を解決するための手段】
本発明の一側面としての放射線画像撮影装置は、放射線が照射された被写体の画像を形成する撮像部と、当該撮像部に取り外し可能に接続され、前記撮像部の動作を制御する制御信号を伝送するためのケーブル又は前記撮像部に電源を供給するケーブルとを有する放射線画像撮影装置であって、前記撮像部と前記ケーブルの接続をロック及びロック解除するロック機構を有することを特徴とする。かかる放射線画像撮影装置によれば、ロック機構によって撮像部とケーブルとの接続をロックするので、撮像部からケーブルが外れることを防ぐことができる。前記ロック機構は、前記ケーブルから電源を供給され、前記電源が供給されると前記撮像部と前記ケーブルの接続をロック状態にし、前記電源の供給が停止すると前記撮像部と前記ケーブルの接続をロック解除状態にすることを特徴とする。前記制御信号を受信し、当該制御信号に基づいて前記ロック機構を制御する制御部を更に有することを特徴とする。前記制御部は、前記撮像部の動作を開始する前記制御信号を受信すると、前記ロック機構を制御して前記撮像部と前記ケーブルの接続をロック状態にすることを特徴とする。前記制御部は、前記撮像部と通信可能であり、当該撮像部の動作を開始する信号を受信すると、前記ロック機構を制御して前記撮像部と前記ケーブルの接続をロック状態にすることを特徴とする。前記制御部は、前記撮像部の動作を終了する前記制御信号を受信すると、前記ロック機構を制御して前記撮像部と前記ケーブルの接続をロック解除状態にすることを特徴とする。前記制御部は、前記撮像部と通信可能であり、当該撮像部の動作を終了する信号を受信すると、前記ロック機構を制御して前記撮像部と前記ケーブルの接続をロック解除状態にすることを特徴とする。これにより、撮像部の動作中にケーブルが外れることによって生じる制御信号伝送エラー、撮像部の駆動エラー、画像伝送エラーを防ぐことができる。また、撮像部への電源供給の瞬断を防ぐことができる。前記撮像部と前記ケーブルの接続のロック状態を解除するための入力部を更に有し、前記制御部は、前記入力部から解除命令が入力されたかどうかを判断し、当該解除命令が入力されたと判断すると前記ロック機構を制御して前記撮像部と前記ケーブルの接続をロック解除状態にすることを特徴とする。これにより、撮像部とケーブルの接続のロック状態を解除するためには入力部から解除命令を入力することが必要となり、撮像部とケーブルの接続に関する安全性がより高まる。前記撮像部と前記ケーブルの接続のロック状態を解除するための入力部を更に有し、前記制御部は、前記撮像部の動作を開始する前記制御信号を受信すると、前記入力部から入力された解除命令を遮断するゲートを更に有することを特徴とする。前記撮像部と前記ケーブルの接続のロック状態を解除するための入力部を更に有し、前記制御部は、前記撮像部の動作を開始する前記制御信号を受信すると、前記入力部から入力された解除命令を所定期間遮断するゲートを更に有することを特徴とする。前記撮像部と前記ケーブルの接続のロック状態を解除するための入力部を更に有し、前記制御部は、前記撮像部から前記撮像部の動作を開始する前記信号を受信すると、前記入力部から入力された解除命令を遮断するゲートを更に有することを特徴とする。これにより、撮像部の動作中に撮像部とケーブルの接続のロック状態が解除されることを防ぐことができる。前記ロック機構が、前記撮像部と前記ケーブルの接続をロック状態にしているか前記撮像部と前記ケーブルの接続をロック解除状態にしているかを表示する表示部を更に有することを特徴とする。これにより、ロック機構が撮像部とケーブルの接続をロックしているかどうか（即ち、撮像部とケーブルの接続状態）を表示部に表示させることが可能となり、撮影作業をスムーズに行うことができる。
【手続補正３】
【補正対象書類名】明細書
【補正対象項目名】００２４
【補正方法】変更
【補正の内容】
【００２４】
信号ケーブル１９は、接続制御部１５とロック機構２０間の通信を可能にする信号ケーブル１９ａ、接続制御部１５とインジケータ１７間の通信を可能にする信号ケーブル１９ｂ、接続制御部１５とシステム制御部４０間の通信を可能にする信号ケーブル１９ｃ、電気回路１４とシステム制御部４０間の通信を可能にする信号ケーブル１９ｄを含む。
【手続補正４】
【補正対象書類名】明細書
【補正対象項目名】００３５
【補正方法】変更
【補正の内容】
【００３５】
モニタ（表示部）４４は、例えば、ＣＲＴディスプレイからなり、入力装置４２により入力された撮影条件、撮影した画像及びロック機構２０のロック状態等を表示する。モニタ４４に表示される内容は、システム制御部４０の制御よって自動的に切替るが、図示しない切替ボタンによって手動で切替ることもできる。モニタ４４は、システム制御部４０からコネクタロック機構２０がロックしていない信号を受け取った場合は、ケーブル３０の着脱が可能な状態である内容（例えば、「ロックが解除されています。ケーブルの着脱が可能です。」）を表示し、コネクタロック機構２０がロックされている信号を受け取った場合は、ケーブル３０の着脱が不可能な状態である内容（例えば、「ロックされています。ケーブルの着脱は不可能です。」）を表示する。また、モニタ４４は、システム制御部４０からデジタル画像データを受け取り表示する。
【手続補正５】
【補正対象書類名】明細書
【補正対象項目名】００５２
【補正方法】変更
【補正の内容】
【００５２】
システム制御部４０は、デジタル画像データの記憶装置６０への保存及び電源部５０への電源供給停止の信号の伝送した後、接続制御部１５へ信号ケーブル１９ｃを介して撮影終了の信号を伝送する。接続制御部１５は、撮影終了の信号を受けてロック機構２０へ信号ケーブル１９ａを介してロックを解除する信号を伝送してケーブルコネクタ３２のロックを解除（ロック解除状態に）し、同時にインジケータ１７へは信号ケーブル１９ｂを介してロックを解除する信号を伝送し、インジケータ１７にケーブル３０が着脱可能なことを示す青系色を点灯させる。このとき、ケーブル３０を外すことが可能となる。
【手続補正６】
【補正対象書類名】明細書
【補正対象項目名】００５８
【補正方法】変更
【補正の内容】
【００５８】
接続制御部１５Ａは、ケーブル３０の電子カセッテ１０Ａへの接続を検出し、ケーブル３０の接続をロックする。接続制御部１５Ａはシステム制御部４０と通信して電子カセッテ１０Ａとケーブル３０の接続ロックの解除が可能な状態及び不可能な状態を検出する。解除が可能であれば解除ボタン８０からの入力信号（即ち、ロックの解除信号）を受け付けるゲート８２を開き、解除が不可能であればゲート８２を閉じて解除ボタン８０からの入力信号を遮断する。また、接続制御部１５Ａは、システム制御部４０と通信して、ゲート８２を閉じて解除ボタン８０からの入力信号を所定期間遮断することもできる。
【手続補正７】
【補正対象書類名】明細書
【補正対象項目名】００５９
【補正方法】変更
【補正の内容】
【００５９】
解除ボタン（入力部）８０は、信号ケーブル１９ｅを介して接続制御部１５Ａと接続されている。解除ボタン８０を押すことにより、ロック機構２０における接続のロックを解除することができる。信号ケーブル１９ｅと接続制御部１５Ａの間には信号のゲート８２が設けられており、ゲート８２の開閉により、入力信号が接続制御部１５Ａへ伝送／遮断される。
【手続補正８】
【補正対象書類名】明細書
【補正対象項目名】００６３
【補正方法】変更
【補正の内容】
【００６３】
次に、ケーブル３０のケーブルコネクタ３２が電子カセッテ１０Ａのコネクタ１６に接続されると、電源ケーブル１８ａを介して接続制御部１５Ａまで電源部５０から電源供給される。接続制御部１５Ａは、電源供給を受けてケーブルコネクタ３２が接続されたことを認識する。また、電源ケーブル１８ａから分離した電源ケーブル１８ｂを介してロック機構２０まで、更に電源ケーブル１８ａから分離した電源ケーブル１８ｃを介してインジケータ１７まで電源供給される。
【手続補正９】
【補正対象書類名】明細書
【補正対象項目名】００６７
【補正方法】変更
【補正の内容】
【００６７】
このとき、電子カセッテ１０Ａの配置を変えるなど、電子カセッテ１０Ａからケーブル３０を外す必要が生じた場合は、解除ボタン８０を押してロックを解除する。解除ボタン８０が押されると、信号ケーブル１９ｅを介してロック解除の信号（解除命令）が接続制御部１５Ａへ伝送され、接続制御部１５Ａは解除命令が入力されたと判断すると、ロック機構２０へ信号ケーブル１９ａを介してロック解除の信号を伝送し、ケーブルコネクタ３２の接続のロックが解除される。このとき、ケーブル３０を外すことが可能となる。また、モニタ４４は、再度非接続状態である内容を表示する。
【手続補正１０】
【補正対象書類名】図面
【補正対象項目名】図６
【補正方法】変更
【補正の内容】
【図６】
2003061942.tif 000001